(57)【特許請求の範囲】
【請求項１】
ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、回動軸（13）の周りで回動可能であるように前記開口部（1c）内に配置された操作板（11）と、
前記操作板（11）の回動を、前記ラッチボルト（2,2A）の後退動作に変換する変換部と、を有し、
前記ドア（1）が前記ドア面（1a,1b）のうち一方の側にのみ開くことができるドアであり、前記操作板（11）における前記ドア（1）が開く方に向いた面を始端として前記操作板（11）に対し略垂直に延在する補助操作板（12）をさらに有することを特徴とするドア操作装置。
【請求項２】
ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、回動軸（13）の周りで回動可能であるように前記開口部（1c）内に配置された操作板（11）と、
前記操作板（11）の回動を、前記ラッチボルト（2,2A）の後退動作に変換する変換部と、を有し、
前記ドア（1）が前記ドア面（1a,1b）のいずれの側にも開くことができるドアであり、１枚の前記操作板（11）のみを有することを特徴とするドア操作装置。
【請求項３】
ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、回動軸（13）の周りで回動可能であるように前記開口部（1c）内に配置された操作板（11）と、
前記操作板（11）の回動を、前記ラッチボルト（2,2A）の後退動作に変換する変換部と、を有し、
前記ドア（1）が前記ドア面（1a,1b）のいずれの側にも開くことができるドアであり、前記操作板（11）の一方の面を始端として前記操作板（11）に対し略垂直に延在する補助操作板（121）と、前記操作板（11）の他方の面を始端として前記操作板（11）に対し略垂直に延在する別の補助操作板（122）をさらに有することを特徴とするドア操作装置。
【請求項４】
前記回動軸（13）が、鉛直方向又は水平方向に延在することを特徴とする請求項１〜３のいずれかに記載のドア操作装置。
【請求項５】
ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、ドア面（1a,1b）に対し垂直な方向に直線移動可能であるように前記開口部（1c）内に配置された操作板（11）と、
前記操作板（11）の直線移動を、前記ラッチボルト（2,2A）の後退動作に変換する変換部と、を有し、
前記ドア（1）が前記ドア面（1a,1b）のうち一方の側にのみ開くことができるドアであり、前記操作板（11）における前記ドア（1）が開く方に向いた面を始点として前記操作板（11）に対し垂直な方向に延在する連結部材（25）と、前記連結部材（25）の先端に取り付けられた補助操作板（12）とをさらに有することを特徴とするドア操作装置。
【請求項６】
ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、ドア面（1a,1b）に対し垂直な方向に直線移動可能であるように前記開口部（1c）内に配置された操作板（11）と、
前記操作板（11）の直線移動を、前記ラッチボルト（2,2A）の後退動作に変換する変換部と、を有し、
前記ドア（1）が前記ドア面（1a,1b）のいずれの側にも開くことができるドアであり、
少なくとも一方の前記ドア面（1a,1b）上における前記開口部（1c）の周縁を始端として前記ドア面（1a,1b）に対し垂直な方向に突出した枠（40,41）を有し、前記操作板（11）が、前記開口部（1c）内及び前記枠（40,41）内を直線移動可能であることを特徴とするドア操作装置。
【請求項７】
前記補助操作板（12）又は前記補助操作板（122）が、所定の距離（L）だけ戸先側に近づく方向にスライド可能であり、前記前記補助操作板（12）又は前記補助操作板（122）と一体的にスライド可能なロック部材（31）を有し、
前記前記補助操作板（12）又は前記補助操作板（122）がスライドしたとき、前記ロック部材（31）の一部が、前記ケース（4）又はドア本体に形成された対向する凹部（1d）内に入り込むことにより、前記操作板（11）の回動が阻止されることを特徴とする請求項１又は３に記載のドア操作装置。
【請求項８】
前記ケース（4）内において前記ラッチボルト（2）とは異なる高さ位置に設けられかつ前記ケース（4）から突出しないように第２のバネ（7）で付勢されたデッドボルト（3）を有し、
前記補助操作板（12）又は前記補助操作板（122）が、所定の距離（L）だけ戸先側に近づく方向にスライド可能であり、前記補助操作板（12）と一体的にスライド可能なロック部材（31）を有し、
前記補助操作板（12）又は前記補助操作板（122）がスライドしたとき、前記ロック部材（31）の一部が、前記ケース（4）内に入り込むことにより、前記第２のバネ（7）に抗して前記デッドボルト（3）を前記ケース（4）から突出させることを特徴とする請求項１又は３に記載のドア操作装置。
【請求項９】
前記ケース（4）内において、前記ラッチボルト（2）とは異なる高さ位置に設けられたデッドボルト（3）と、前記デッドボルト（3）と前記枠（41）の一部とを連結する伝達部材（42）と、を有し、
前記枠（41）が、所定の距離（L）だけ戸先側に近づく方向にスライド可能であり、前記枠（41）がスライドしたとき、前記デッドボルト（3）を前記ケース（4）から突出させることを特徴とする請求項６に記載のドア操作装置。
【請求項１０】
請求項１〜９のいずれかに記載のドア操作装置をドア本体に組み込んだドア。
【発明の詳細な説明】
【技術分野】
【０００１】
本発明は、ドアを開くときにラッチボルトを解除するためのドア操作装置に関する。
【背景技術】
【０００２】
回転して開くドアの戸先側に設けられたラッチボルトは、突出する方向にバネにより付勢されている（特許文献１、２等）。ドアの閉位置では、ラッチボルトが突出してドア枠のラッチ受けと係合することによってドアが閉位置に固定される。閉位置にあるドアを開くときは、レバーハンドルやプッシュプルハンドルなどの取っ手を操作してラッチボルトをバネに抗して一時的に後退させることによって、ドアを開くことができる。開位置にあるドアを閉じるときは、ラッチボルトの形状に起因してラッチボルトが独りでにバネに抗して後退するので、取っ手を操作する必要はない。
【０００３】
ドアの取っ手は、ウィルスや細菌などの病原体の伝染経路となり得る。ドアの取っ手又はそれに触れた手を頻繁に消毒することは煩雑であり、感染防止のためにドアの取っ手に手指が触れないことが好ましい。
【０００４】
特許文献１〜３は、手指を使わずに、手首よりも上方の部分を用いてドアを開閉するために、特別な形状の取っ手又は既存の取っ手に取り付けるアタッチメントを提示している。
【先行技術文献】
【特許文献】
【０００５】
【特許文献１】特表２００８−５０６８７２号公報
【特許文献２】実公平３−３９５７５号公報
【特許文献３】特開昭５３−７０５３４号公報
【特許文献４】特開２００４−２３８９７２号公報
【特許文献５】特開２００４−２１８２２０号公報
【発明の概要】
【発明が解決しようとする課題】
【０００６】
ドアを開く際に手指を使わずにラッチボルトを解除するための従来のドアの取っ手又は取っ手のアタッチメントは、いずれもドア本体とは別個の装置として取り付けられるものであった。また、そのような取っ手やアタッチメントは、特別な形状を有しており、例えば使用者の肘や足などのいずれかの身体部位に特化したものであって、その操作方法や操作高さが限定されていた。
【０００７】
以上の現状に鑑み、本発明は、ドアを開く際にラッチボルトを解除するためのドア操作装置であって、操作に用いる身体部位や操作位置に関する設計の自由度が大きいドア操作装置及びその装置を組み込んだドアを提供することを目的とする。
【課題を解決するための手段】
【０００８】
上述した課題を解決するために、本発明は以下の構成を有する。なお、括弧内の数字は、後述する図面中の符号であり、参考のために付するものである。
本発明の態様は、ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、回動軸（13）の周りで回動可能であるように前記開口部（1c）内に配置された操作板（11）と、
前記操作板（11）の回動を、前記ラッチボルト（2,2A）の後退動作に変換する変換部と、を有し、
前記ドア（1）が前記ドア面（1a,1b）のうち一方の側にのみ開くことができるドアであり、前記操作板（11）における前記ドア（1）が開く方に向いた面を始端として前記操作板（11）に対し略垂直に延在する補助操作板（12）をさらに有することを特徴とする。
本発明の別の態様は、ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、回動軸（13）の周りで回動可能であるように前記開口部（1c）内に配置された操作板（11）と、
前記操作板（11）の回動を、前記ラッチボルト（2,2A）の後退動作に変換する変換部と、を有し、
前記ドア（1）が前記ドア面（1a,1b）のいずれの側にも開くことができるドアであり、１枚の前記操作板（11）のみを有することを特徴とすることを特徴とする。
本発明のさらに別の態様は、ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、回動軸（13）の周りで回動可能であるように前記開口部（1c）内に配置された操作板（11）と、
前記操作板（11）の回動を、前記ラッチボルト（2,2A）の後退動作に変換する変換部と、を有し、
前記ドア（1）が前記ドア面（1a,1b）のいずれの側にも開くことができるドアであり、前記操作板（11）の一方の面を始端として前記操作板（11）に対し略垂直に延在する補助操作板（121）と、前記操作板（11）の他方の面を始端として前記操作板（11）に対し略垂直に延在する別の補助操作板（122）をさらに有することを特徴とする。
本発明のさらに別の態様は、ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、ドア面（1a,1b）に対し垂直な方向に直線移動可能であるように前記開口部（1c）内に配置された操作板（11）と、
前記操作板（11）の直線移動を、前記ラッチボルト（2,2A）の後退動作に変換する変換部と、を有し、
前記ドア（1）が前記ドア面（1a,1b）のうち一方の側にのみ開くことができるドアであり、前記操作板（11）における前記ドア（1）が開く方に向いた面を始点として前記操作板（11）に対し垂直な方向に延在する連結部材（25）と、前記連結部材（25）の先端に取り付けられた補助操作板（12）とをさらに有することを特徴とする。
本発明のさらに別の態様は、ドア（1,1A）の戸先側に埋設された略直方体のケース（4）と、前記ケース（4）内に設けられたラッチボルト（2,2A）と、前記ケース（4）から前記ラッチボルト（2,2A）を突出させるように付勢するバネ（5）とを有し、前記ドア（1,1A）を開くために前記ラッチボルト（2,2A）を前記バネ（5）に抗して後退させるように構成されたドア操作装置（10）において、
前記ケース（4）の戸尻側の側面に隣接しかつ前記ドア（1,1A）の一部を厚さ方向に貫通する開口部（1c）と、
使用者による操作によって、ドア面（1a,1b）に対し垂直な方向に直線移動可能であるように前記開口部（1c）内に配置された操作板（11）と、
前記操作板（11）の直線移動を、前記ラッチボルト（2,2A）の後退動作に変換する変換部と、を有し、
前記ドア（1）が前記ドア面（1a,1b）のいずれの側にも開くことができるドアであり、
少なくとも一方の前記ドア面（1a,1b）上における前記開口部（1c）の周縁を始端として前記ドア面（1a,1b）に対し垂直な方向に突出した枠（40,41）を有し、前記操作板（11）が、前記開口部（1c）内及び前記枠（40,41）内を直線移動可能であることを特徴とする。
上記態様において、前記回動軸（13）が、鉛直方向又は水平方向に延在することが、好適である。
上記態様において、前記補助操作板（12）又は前記補助操作板（121）が、所定の距離（L）だけ戸先側に近づく方向にスライド可能であり、前記補助操作板（12）又は前記補助操作板（121）と一体的にスライド可能なロック部材（31）を有し、
前記補助操作板（12）又は前記補助操作板（121）がスライドしたとき、前記ロック部材（31）の一部が、前記ケース（4）又はドア本体に形成された対向する凹部（1d）内に入り込むことにより、前記操作板（11）の回動が阻止されることを特徴とする。
上記態様において、前記ケース（4）内において前記ラッチボルト（2）とは異なる高さ位置に設けられかつ前記ケース（4）から突出しないように第２のバネ（7）で付勢されたデッドボルト（3）を有し、
前記補助操作板（12）又は前記補助操作板（121）が、所定の距離（L）だけ戸先側に近づく方向にスライド可能であり、前記補助操作板（12）と一体的にスライド可能なロック部材（31）を有し、
前記補助操作板（12）又は前記補助操作板（121）がスライドしたとき、前記ロック部材（31）の一部が、前記ケース（4）内に入り込むことにより、前記第２のバネ（7）に抗して前記デッドボルト（3）を前記ケース（4）から突出させることを特徴とする。
上記態様において、前記ケース（4）内において、前記ラッチボルト（2）とは異なる高さ位置に設けられたデッドボルト（3）と、前記デッドボルト（3）と前記枠（41）の一部とを連結する伝達部材（42）と、を有し、
前記枠（41）が、所定の距離（L）だけ戸先側に近づく方向にスライド可能であり、前記枠（41）がスライドしたとき、前記デッドボルト（3）を前記ケース（4）から突出させることを特徴とする。
本発明の別の態様は、上記いずれかの態様のドア操作装置をドア本体に組み込んだドアである。
【発明の効果】
【０００９】
本発明によれば、ドアを開く際にラッチボルトを解除するドア操作装置が、ドアの一部に組み込まれている。ドア操作装置は、ドアの一部を貫通する開口部に配置された操作板を有しており、その操作板は、使用者の操作によって回動可能又は直線移動可能である。本発明のドア操作装置では、使用者が操作する部分の大きさを、従来の取っ手やアタッチメントよりも格段に大きくすることができる。また、使用者が操作する位置も自在に設定することができる。この結果、使用者は、手指以外の身体部位、例えば肘、腕、脚、膝、足、腰などを用いて操作板を操作することが可能である。これによって、手指を介した感染の防止に大きく寄与することができる。
【図面の簡単な説明】
【００１０】
【図１】図１（ａ）は、第１の実施形態のドア操作装置１０を組み込んだドア１をドア面１ａから視た概略斜視図であり、（ｂ）は、反対側のドア面１ｂから視た概略斜視図である。
【図２】図２（ａ）（ｂ）は、図１（ａ）（ｂ）にそれぞれ対応する概略斜視図であるが、ドア操作装置１０を操作してラッチボルトを解除した状態を示している。
【図３】図３（ａ）は、図１（ｂ）のＩ−Ｉ断面の一例を概略的に示し、（ｂ）は（ａ）のII−II断面を概略的に示している。
【図４】図４（ａ）（ｂ）は、ラッチボルト２が解除位置であるときの図３（ａ）（ｂ）にそれぞれ対応する断面図である。
【図５】図５（ａ）は、図１（ｂ）のＩ−Ｉ断面の一例を概略的に示し、（ｂ）は（ａ）のIII−III断面を概略的に示している。
【図６】図６（ａ）（ｂ）は、ラッチボルト２が解除位置であるときの図５（ａ）（ｂ）にそれぞれ対応する断面図である。
【図７】図７（ａ）（ｂ）は、図１（ａ）（ｂ）と同様の概略斜視図であり、第１の実施形態の幾つかの変形形態を示す。
【図８】図８（ａ）は、第２の実施形態のドア操作装置１０を組み込んだドア１をドア面１ａから視た概略斜視図であり、（ｂ）は、反対側のドア面１ｂから視た概略斜視図である。
【図９】図９（ａ）は、図８（ｂ）のIV−IV断面の一例を概略的に示し、（ｂ）は、ドア操作装置１０を操作してラッチボルトを解除したときの（ａ）に対応する断面を概略的に示している。
【図１０】図１０（ａ）は、図８（ｂ）のＶ−Ｖ断面の一例を概略的に示し、（ｂ）はラッチボルトが解除されたときの（ａ）に対応する断面を概略的に示している。
【図１１】図１１（ａ）はラッチボルト２を、（ｂ）はラッチボルト２及びデッドボルト３を収容したケース４を有するドア操作装置１０のロック機構の一例を、それぞれ概略的に示す。
【図１２】図１２（ａ）は、図１１（ａ）のVI−VI断面のロック解除状態を概略的に示し、（ｂ）は、ロック状態を示す。
【図１３】図１３（ａ）は、図１１（ｂ）のVII−VII断面のロック解除状態を概略的に示し、（ｂ）は、ロック状態を示す。
【図１４】図１４（ａ）は、第４の実施形態のドア操作装置１０を組み込んだドア１Ａをドア面１ａから視た概略斜視図であり、（ｂ）は、反対側のドア面１ｂから視た概略斜視図である。
【図１５】図１５（ａ）は、図１４（ｂ）のVIII−VIII断面の一例を概略的に示し、（ｂ）（ｃ）はラッチ解除状態の（ａ）に対応する断面図である。
【図１６】図１６（ａ）は、第５の実施形態のドア操作装置１０を組み込んだドア１Ａをドア面１ａから視た概略斜視図であり、（ｂ）は、反対側のドア面１ｂから視た概略斜視図である。
【図１７】図１７（ａ）は、図１５（ｂ）のIX−IX断面の一例を概略的に示し、（ｂ）（ｃ）はラッチ解除状態の（ａ）に対応する断面図である。
【図１８】図１８（ｂ）は、（ａ）のＸ−Ｘ断面のロック解除状態を概略的に示し、（ｃ）はロック状態を示している。
【図１９】図１９（ａ）は、第７の実施形態のドア操作装置１０を組み込んだドア１をドア面１ａから視た概略斜視図であり、（ｂ）は、反対側のドア面１ｂから視た概略斜視図である。
【図２０】図２０（ａ）は、図１９（ｂ）のXI−XI断面の一例を概略的に示し、（ｂ）はドア操作装置１０を操作してラッチボルト２を解除したときの（ａ）に対応する断面を概略的に示している。
【図２１】図２１（ａ）は、第８の実施形態のドア操作装置１０を組み込んだドア１Ａをドア面１ａから視た概略斜視図であり、（ｂ）は、反対側のドア面１ｂから視た概略斜視図である。
【図２２】図２２（ａ）は、図２１（ｂ）のXII−XII断面の一例を概略的に示し、（ｂ）（ｃ）はラッチ解除状態の（ａ）に対応する断面図である。
【図２３】図２３（ａ）は、図２１（ｂ）のXIII−XIII−断面の一例を概略的に示し、（ｂ）はロック状態における（ａ）に対応する断面図である。
【図２４】図２４は、第１０の実施形態を示す図２２（ａ）に対応する断面図である。
【発明を実施するための形態】
【００１１】
以下、実施例を示した図面を参照して本発明の各実施形態を説明する。各実施形態における同じ又は類似する構成要素には、基本的に、図面において同じ符号を付している。
【００１２】
（１）第１の実施形態：一方にのみ開くドア、回動操作
図１〜図７を参照して、本発明の第１の実施形態を説明する。図１（ａ）は、第１の実施形態のドア操作装置１０を組み込んだドア１をドア面１ａから視た概略斜視図であり、（ｂ）は、反対側のドア面１ｂから視た概略斜視図である。例えば、ドア面１ａが廊下側に、ドア面１ｂが室内側に面しており、ドア１は、室内側にのみ開くドアである。図１は、ドア１が閉位置にある状態を示している。
【００１３】
以下の説明において、ドア１のドア面１ａ、１ｂに平行な水平方向に関して、ドア１の回転軸の方を「戸尻側」と称し、回転軸とは反対側の方を「戸先側」と称する。
【００１４】
ドア操作装置１０は、ドア１の一部に組み込まれている。ドア操作装置１０は、ドア１の戸先側に埋設された略直方体のケース４を有する。このケース４は、一般的なドアにおいてラッチボルト及びデッドボルトが収容されたキーケースと同様のものである。図１の例では、ケース４が、一般的な高さ位置に設置されている。しかしながら本発明では、ケース４の高さ位置は一般的な位置に限定されない。
【００１５】
図１の例では、ケース４にラッチボルト２のみが設けられており、デッドボルトは設けられていない。本発明では、デッドボルトは必須要素ではなく任意要素である。ラッチボルト２は、図１には示されないバネによってケース４の戸先側の側面から突出するように付勢されている。ドア１の閉位置においては、ラッチボルト２がケース４から突出し、対向するラッチ受け穴（図示せず）に入り込んでいる。これにより、ドア１は、ドア面１ｂの方へ開く動作を阻止される。
【００１６】
ドア操作装置１０はさらに、ケース４の戸尻側の側面に隣接する開口部１ｃを有する。開口部１ｃは、ドア１の厚さ方向全体に亘って存在し、すなわちドア１の本体の一部を貫通している。図１の例では、開口部１ｃは矩形の輪郭形状を有する。開口部１ｃの上端はドア１の高さの上から４分の１程度に位置し、開口部１ｃの下端はドア１の下端と同じ位置にある。開口部１ｃの幅は、ドア１の幅の４分の１程度であり、例えば約２０〜３０ｃｍである。しかしながら、開口部１ｃの長さ及び幅は、特に限定されない。
【００１７】
さらに、開口部１ｃ内には、開口部１ｃにほぼ嵌合する矩形の輪郭形状を有する操作板１１が配置されている。ドア１の閉位置では、操作板１１の平坦な広い両面は、ドア面１ａ、１ｂと平行である。操作板１１は、好ましくは、ドア１よりも薄い所定の厚さを有する。操作板１１の一方の広い面は、ドア面１ａと同一面上に位置することが好ましい。操作板１１の他方の広い面は、ドア面１ｂよりも開口部１ｃ内に後退した位置にある。さらに操作板１１の戸尻側の端縁に沿って回動軸１３が設けられている。操作板１１は、回動軸１３の周りで回動可能である。回動軸１３は、ここでは鉛直方向に延在している。回動軸１３は、具体的には、例えば複数の蝶番などにより構成される。
【００１８】
さらに、操作板１１におけるドア１が開く方に向いた面、この場合はドア面１ｂ側の面を始端としてこの面に対し略垂直に延在する補助操作板１２が配置されている。補助操作板１２は、一例として矩形の輪郭形状を有する。補助操作板１２は、操作板１１に対して厳密に垂直でなくともよく、垂直位置に対して例えば−１０°〜＋１０°程度傾斜していてもよい。補助操作板１２の一方の広い面は戸先側を向き、他方の広い面は戸尻側を向いている。補助操作板１２の始端は、操作板１１における回動軸１３の近傍に配置されることが好ましい。補助操作板１２と操作板１１との境界線は、回動軸１３に対して平行に延在している。補助操作板１２の鉛直方向の長さは、操作板１１とほぼ同じ程度が好ましい。図１の例では、補助操作板１２の上端は操作板１１の上端と同じ位置にあり、一方、補助操作板１２の下端は操作板１１の下端よりも上方に位置しており床面との間に隙間がある。補助操作板１２は、操作板１１と一体的に回動軸１３の周りで回動可能である。
【００１９】
図２（ａ）（ｂ）は、図１（ａ）（ｂ）にそれぞれ対応する概略斜視図であるが、ドア操作装置１０を操作してラッチボルト２を解除した状態を示している。図２（ａ）に示す３つの矢印ｒ１は、ドア面１ａ側にいる使用者が操作板１１を押す位置の例を模式的に示している。図２（ｂ）に示す３つの矢印ｒ２は、ドア面１ｂ側にいる使用者が補助操作板１２を押す位置の例を模式的に示している。
【００２０】
操作板１１又は補助操作板１２をこのように操作することによって、操作板１１が回動軸１３の周りでドア面１ｂの方に回動する。操作板１１が回動軸１３の周りで回動すると、操作板１１はドア面１ａ、１ｂに対して傾斜する。操作板１１及び補助操作板１２は、一般的なドア取っ手に比べて大きな操作面を有する。したがって、使用者は、手指以外の身体部位、例えば肘、腕、脚、膝、足、腰などのうち都合のよい部位を用いて操作板１１又は補助操作板１２の操作を行うことができる。もちろん手指を用いる操作も可能である。ドア面１ａの一部に嵌め込まれた操作板１１は、押す操作のみが可能である。一方、補助操作板１２は、図示のように戸先側の面を押す操作以外に、例えば戸尻側から補助操作板１２の縁部を引く操作も可能である。
【００２１】
詳細は後述するが、ドア操作装置１０は、操作板１１の回動をラッチボルト２の後退動作に変換する変換部を有する。したがって、使用者の操作により操作板１１が回動することによって、ラッチボルト２が解除される。その結果、使用者は、ドア１を矢印Ｒ１のように開くことができる。すなわち、使用者は、手指を用いる必要なくドア１を開くことができる。
【００２２】
図３及び図４を参照して、変換部の機構の一例を説明する。図３（ａ）は、図１（ｂ）のＩ−Ｉ断面の一例を概略的に示し、（ｂ）は（ａ）のII−II断面を概略的に示している。
【００２３】
図３（ａ）に示すラッチ位置では、ラッチボルト２がバネ５により付勢されてケース４の戸先側の側面から突出している。ラッチボルト２の背面に一体に固定された操作ロッド６が、コイル状のバネ５を貫通してケース４の戸尻側の側面に向かって水平に延在している。操作ロッド６はケース４内の隔壁４ａを貫通し、その端部には第１の連結ピン１５ａが設けられている。バネ５の一端はラッチボルト２の背面により支持され、他端は隔壁４ａにより支持されている。
【００２４】
図３（ｂ）に示すように、操作板１１の戸先側の側面には、第１の連結ピン１５ａと同じ高さ位置に操作ピン１４が突出するように設けられている。操作ピン１４は、ここでは一例として上下一対の板状部材から構成され、その間に第２の連結ピン１５ｂが設けられている。操作ピン１４は、ケース４の戸尻側の側面に水平方向に延在する溝４ｅ内に位置する。
【００２５】
第１の連結ピン１５ａと第２の連結ピン１５ｂとの間の適宜の位置において、ケース４に固定され鉛直方向に延在する案内ピン１５ｃが配置されている。さらに、ワイヤー１６の一端が第１の連結ピン１５ａに、他端が第２の連結ピン１５ｂに連結されている。ワイヤー１６は適宜の弛みが設けられている。
【００２６】
ラッチ位置では、操作板１１はドア面１ａと平行に位置し、操作ピン１４は、溝４ｅ内でドア面１ａに最も近い位置にある。ラッチボルト２と一体の操作ロッド６は、最も戸先側に近い位置にある。
【００２７】
図４（ａ）（ｂ）は、ラッチボルト２が解除位置であるときの図３（ａ）（ｂ）にそれぞれ対応する図である。図４（ａ）に示すラッチ解除位置では、ラッチボルト２がバネ５に抗してケース４内に後退させられている。このラッチ解除位置は、矢印ｒ１のように操作板１１を押す操作、又は、矢印ｒ２のように補助操作板１２を押す操作により実現される。この操作によって、操作板１１が回動軸１３の周りで回動する。操作板１１の回動範囲は、溝４ｅ内における操作ピン１４の回動可能な範囲によって規定される。操作ピン１４が回動すると、ワイヤー１６が案内ピン１５ｃに係合することによって弛みがなくなる。この結果、ワイヤー１６が操作ロッド６を戸尻側に引っ張ることによってラッチボルト２がバネ５に抗して後退する。この状態で、使用者が操作板１１又は補助操作板１２をさらに押せば、ドアが回転して開く。
【００２８】
図５及び図６を参照して、変換部の機構の別の例を説明する。図５（ａ）は、図１（ｂ）のＩ−Ｉ断面の一例を概略的に示し、（ｂ）は（ａ）のIII−III断面を概略的に示している。
【００２９】
図５（ａ）に示すラッチ位置では、ラッチボルト２がバネ５により付勢されてケース４の戸先側の側面から突出している。ラッチボルト２の背面に一体に固定された操作ロッド６が、コイル状のバネ５を貫通してケース４の戸尻側の側面に向かって水平に延在している。操作ロッド６は、ケース４内の隔壁４ａを貫通している。バネ５の一端はラッチボルト２の背面により支持され、他端は隔壁４ａにより支持されている。操作ロッド６には、その先端から所定の範囲の側面にラック１７が形成されている。さらに、ケース４内には、ラック１７と歯合可能な位置にピニオン１８が配置されている。ピニオン１８は鉛直軸を有する。
【００３０】
一方、操作板１１の戸先側の側面には、操作ピン１４が突出するように設けられている。操作ピン１４は、ケース４の戸尻側の側面に水平方向に設けられた溝４ｅ内に位置する。操作ピン１４は、その先端を始点として操作板１１の回動方向に沿って延在するラック１９が形成されている。図５（ｂ）に示すように、ラック１９は、ラック１７とは異なる高さ位置でピニオン１８と歯合可能に配置されている。
【００３１】
図５（ａ）に示すように、ラッチ位置では、操作板１１はドア面１ａと平行に位置し、操作ピン１４は、溝４ｅ内でドア面１ａに最も近い位置にある。
【００３２】
図６（ａ）（ｂ）は、ラッチボルト２が解除位置であるときの図５（ａ）（ｂ）にそれぞれ対応する図である。図６（ａ）に示すラッチ解除位置では、ラッチボルト２がバネ５に抗してケース４内に後退させられている。このラッチ解除位置は、矢印ｒ１のように操作板１１を押す操作、又は、矢印ｒ２のように補助操作板１２を押す操作により実現される。この操作によって、操作板１１が回動軸１３の周りで回動する。操作板１１の回動範囲は、溝４ｅ内における操作ピン１４の回動可能な範囲によって規定される。操作ピン１４が回動すると、ラック１９がピニオン１８と歯合してピニオン１８を回動させる。それによって、ピニオン１８と歯合する操作ロッド６のラック１７が戸尻側に直線移動する。この結果、ラッチボルト２がバネ５に抗して後退する。
【００３３】
なお、図５及び図６に示した変換部の機構は一例であり、操作板１１の回動をラッチボルト２の後退動作に変換する機構は、これらに限られない。変換部は、カム、リンク、バネ、歯車、ラック、及び／又は、電気的駆動装置などを適宜組み合わせることによって多様に構成することが可能である（他の実施形態においても同じ）。
【００３４】
図７（ａ）（ｂ）は、図１（ａ）（ｂ）と同様の概略斜視図であり、ドア操作装置の第１の実施形態の変形形態を示している。図７には、説明の便宜上、設置高さの異なる２つの例を同時に示している。実線で示すドア操作装置１０はドア１の高さの半分より上方寄りに、破線で示すドア操作装置１０’は、ドア１の下端近傍に組み込まれている。
【００３５】
図７に示すドア操作装置１０、１０’は、図１に示したものと基本的構成は同じであるが、図１のものに比べて開口部１ｃ（操作板１１）の鉛直方向の長さが短い。本発明のドア操作装置における開口部の開口面積、開口部の輪郭形状、及び／又は設置高さは、本発明の主旨に従う限りにおいて自在に設定することが可能である（他の実施形態についても同じ）。実線で示したドア操作装置１０は、肘や腕による操作を想定した高さに設置されている。破線で示したドア操作装置１０’は、専ら足による操作を想定した高さに設置されている。
【００３６】
図７のドア操作装置１０、１０’では、補助操作板１２の形状の変形例も示している。この場合、補助操作板１２は、平坦な板ではなく、戸先側に向かって凹となるように湾曲している。この形状によって、補助操作板１２に肘や腕を掛け易くなるので、より容易に押すことができる。補助操作板１２のこの形状は、他の実施形態の補助操作板にも適用可能である。
【００３７】
（２）第２の実施形態：一方にのみ開くドア、回動操作
図８〜図１０を参照して、本発明の第２の実施形態を説明する。図８（ａ）は、第２の実施形態のドア操作装置１０を組み込んだドア１をドア面１ａから視た概略斜視図であり、（ｂ）は、反対側のドア面１ｂから視た概略斜視図である。ドア１は、ドア面１ｂの方にのみ開くドアである。図８は、ドア１が閉位置にある状態を示している。第２の実施形態については、主として第１の実施形態とは異なる点について説明し、共通する点については説明を省略する場合がある。
【００３８】
第２の実施形態では、ドア操作装置１０がドア１の下端近傍に組み込まれている。このドア操作装置１０は、専ら使用者の足で操作される。第１の実施形態と同様に、ラッチボルト２を収容したケース４がドア１の戸先側に埋設されている。ケース４の戸尻側の側面に隣接する開放部１ｃが設けられている。一例として、開口部１ｃの幅は第１の実施形態と同程度の２０〜３０ｃｍであり、高さも幅と同程度の２０〜３０ｃｍである。
【００３９】
開口部１ｃ内には、開口部１ｃにほぼ嵌合する矩形の輪郭形状を有する操作板１１が配置されている。ドア１の閉位置では、操作板１１の平坦な広い両面は、ドア面１ａ、１ｂと平行である。操作板１１は、ドア１よりも薄い所定の厚さを有する。操作板１１の一方の広い面は、ドア面１ａと同一面上に位置することが好ましい。操作板１１の他方の広い面は、ドア面１ｂよりも開口部１ｃ内に後退した位置にある。第２の実施形態では、操作板１１の下端に沿って回動軸１３が設けられている。回動軸１３は、ここではドア面１ａ、１ｂに対し平行な水平方向に延在している。回動軸１３は、具体的には、例えば複数の蝶番などにより構成される。
【００４０】
さらに、操作板１１におけるドア面１ｂ側の面を始端としてこの面に対し略垂直に延在する補助操作板１２が配置されている。補助操作板１２は、一例として矩形の輪郭形状を有する。補助操作板１２は、操作板１１に対して厳密に垂直でなくともよく、垂直位置に対して例えば−１０°〜＋１０°程度傾斜していてもよい。補助操作板１２の一方の広い面は上方を向き、他方の広い面は下方を向いている。補助操作板１２の始端は、操作板１１における回動軸１３の近傍に配置されることが好ましい。補助操作板１２と操作板１１との境界線は、回動軸１３に対して平行に延在している。補助操作板１２は、操作板１１と一体的に回動軸１３の周りで回動可能である。
【００４１】
図９（ａ）は、図８（ｂ）のIV−IV断面の一例を概略的に示し、（ｂ）は、ドア操作装置１０を操作してラッチボルトを解除したときの（ａ）に対応する断面を概略的に示している。図９（ｂ）に示す矢印ｒ１は、ドア面１ａ側にいる使用者が操作板１１を押す操作を模式的に示している。また、矢印ｒ２は、ドア面１ｂ側にいる使用者が補助操作板１２を押す操作を模式的に示している。操作板１１又は補助操作板１２をこのように操作することによって、操作板１１が回動軸１３の周りでドア面１ｂの方に回動する。使用者は、特に足を用いて操作板１１又は補助操作板１２を操作することができる。別の例として、補助操作板１２を操作し易くするために、平坦な板ではなく上方に向かって凹となる湾曲した板としてもよい。また、別の例として、補助操作板１２を操作し易くするために、その縁に沿って上向きのリブ（例えば図１７参照）を設けてもよい。
【００４２】
図１０を参照して、操作板１１の回動をラッチボルト２の後退動作に変換する変換部の機構の一例を説明する。図１０（ａ）は、図８（ｂ）のＶ−Ｖ断面の一例を概略的に示し、（ｂ）はラッチボルトが解除されたときの（ａ）に対応する断面を概略的に示している。
【００４３】
図１０（ａ）に示すラッチ位置では、ラッチボルト２がバネ５により付勢されてケース４の戸先側の側面から突出している。ラッチボルト２の背面に一体に固定された操作ロッド６がケース４の戸尻側の側面に向かって水平に延在している。操作ロッド６はケース４内の隔壁４ａを貫通している。バネ５の一端はラッチボルト２の背面により支持され、他端は隔壁４ａにより支持されている。操作ロッド６には、その先端から所定の範囲の側面にラック１７が形成されている。さらに、ケース４内には、ラック１７と歯合可能な位置にピニオン１８が配置されている。ピニオン１８は鉛直軸を有する。ピニオン１８の鉛直軸の下方にはかさ歯車２１が配置されている。
【００４４】
一方、操作板１１の下端の回動軸１３は戸先側に延長され、その延長部分１３ａはケース４の戸尻側の側面の軸孔４ｆにより支持されてケース４内に入り込んでいる。延長部分１３ａの先端には、かさ歯車２０が設けられている。かさ歯車２０とかさ歯車２１とは歯合し、かつ互いの軸が直角となるように配置されている。
【００４５】
図１０（ｂ）に示すように、操作板１１又は補助操作板１２が使用者により押されると、操作板１１と共に回動軸１３が回動する。回動軸１３の回動は、かさ歯車２０と２１によりピニオン１８の回動に変換される。それによって、ピニオン１８と歯合する操作ロッド６のラック１７が戸尻側に直線移動する。この結果、ラッチボルト２がバネ５に抗して後退する。
【００４６】
（３）第３の実施形態：ロック機構
図１１〜図１３を参照して、上述した第１の実施形態のドア操作装置１０に適用可能なロック機構について説明する。ここでのロック機構は、使用者が操作板１１又は補助操作板１２に対して操作を行うか否かに関わらず、ドアを閉位置に保持するためのものである。
【００４７】
図１１（ａ）は、ラッチボルト２を収容したケース４を有するドア操作装置１０のロック機構の一例を概略的に示している。ラッチボルト２用のロック機構は、補助操作板１２の戸先側に向いた広い面と、開口１ｃの戸先側の内面との間に水平に延在する棒状のロック部材３１を有する。ロック部材３１の一端は補助操作板１２に取り付けられている。ロック部材３１と補助操作板１２は一体的に、戸先側に向かって水平にスライド移動可能に設けられている。このために、ロック部材３１を支持する軸受部材３２、３３が操作板１１の広い面に取り付けられている。ラッチボルト２用のロック機構の詳細については、図１２を参照して後述する。
【００４８】
図１１（ｂ）は、（ａ）と同様のドア操作装置１０であるが、この場合、ケース４に、ラッチボルト２に加えデッドボルト３が収容されている。デッドボルト３は、一般的なドアのデッドボルトと同様のものであり、ケース４内においてラッチボルト２とは異なる高さ位置に設けられている。この場合のロック機構は、デッドボルト３用のロック機構である。（ａ）に示すラッチボルト２用のロック機構と同様に、ロック部材３１、軸受部材３２、３３を有する。デッドボルト３用のロック機構の詳細については、図１３を参照して後述説明する。
【００４９】
図１２（ａ）は、図１１（ａ）のVI−VI断面のロック解除状態を概略的に示している。この断面は、一例として、ケース４よりも上方を横切る断面である。ドアは閉位置にある。ドア面１ａとドア面１ｂとの間のドア本体には、ロック部材３１の先端と対向する位置にロック凹部１ｄが形成されている。ロック凹部１ｄは、ロック部材３１の先端部が嵌合する形状を有する。ロック解除状態では、ロック部材３１が、操作板１１の戸先側の側面から突出していない。
【００５０】
図１２（ｂ）は、ラッチボルト２のロック状態を示す。（ａ）の位置から開始して矢印のように補助操作板１２を戸先側に所定の距離Ｌだけスライド移動させた状態を示している。このスライド移動は、矢印のように使用者が補助操作板１２を操作することによって行うことができる。これにより、ロック部材３１の先端が、操作板１１の側面を超えて突出し、ロック凹部１ｄに入り込む。その結果、操作板１１の回動が阻止されるので、ラッチボルトを解除することができない。このロック状態を解除するためには、補助操作板１２を反対方向にスライドさせて戻す操作を行う。
【００５１】
なお、図１２に示した例では、ロック凹部１ｄがケース４の外部に設けられているが、別の例としてロック凹部をケース４内に設けることもできる。ロック凹部をケース４内に設ける場合、ロック凹部を、ラッチボルト及び変換部と干渉しない高さ位置に設けるようにする。
【００５２】
図１３（ａ）は、図１１（ｂ）のVII−VII断面のロック解除状態を概略的に示している。この断面は、ケース４を横切る断面である。ドアは閉位置にある。ロック部材３１は、デッドボルト３と同じ高さ位置となるように補助操作板１２に取り付けられている。ロック解除状態では、デッドボルト３は後退位置にあり、デッドボルト３の背面はケース４内の隔壁４ｃにより支持されている。また、ロック解除状態では、ロック部材３１が、操作板１１の戸先側の側面から突出していない。
【００５３】
デッドボルト３の背面に一体に固定された操作ロッド８が、ケース４内の隔壁４ｃを貫通し、コイル状のバネ７を貫通し、さらに戸尻側の隔壁４ｂを貫通して水平に延在している。操作ロッド８には、隔壁４ｃと隔壁４ｂとの間において径方向に突出したカラー部８ａが形成されている。バネ７の一端は、隔壁４ｃにより支持され、他端は操作ロッド８のカラー部８ａにより支持されている。ロック解除状態では、デッドロック３がケース４の戸先側の側面から突出しないように、バネ７が、操作ロッド８のカラー部８ａを戸尻側に付勢している。カラー部８ａは、隔壁４ｂに押し付けられている。これにより、デッドボルト３の後退位置が規定される。
【００５４】
図１３（ｂ）は、デッドボルト３のロック状態を示す。（ａ）の位置から開始して矢印のように補助操作板１２を戸先側に所定の距離Ｌだけスライド移動させた状態を示している。このスライド移動は、使用者が補助操作板１２を操作することによって行うことができる。これにより、ロック部材３１の先端が、操作板１１の側面を超えて突出し、ケース４内に入り込む。その結果、ロック部材３１の先端が、バネ７に抗して操作ロッド８を戸先側に押すことにより、デッドロック３をケース４の戸先側の側面から突出させる。この状態は、一般的なデッドロックによるドアのロック状態と同じである。圧縮されたバネ７の復元力は、ロック部材３１及び補助操作板１２を押し戻すことができない程度に設定されている。このロック状態を解除するためには、補助操作板１２を反対方向にスライドさせて戻す操作を行う。
【００５５】
図１２及び図１３に示したロック機構において、補助操作板１２とロック部材３１が一体として操作板１１に対して円滑にスライド移動する機構は、軸受部材３２、３３に限られない。別の例として、相対的にスライド移動する双方の部品の間に適宜のレール機構（例えば、互いに嵌合する突条と溝など）を形成してもよい。また、ロック部材３１の形状も図示の例に限られない。
【００５６】
（４）第４の実施形態：いずれの方向にも開くドア、回動操作
図１４及び図１５を参照して、本発明の第４の実施形態について説明する。図１４（ａ）は、第４の実施形態のドア操作装置１０を組み込んだドア１Ａをドア面１ａから視た概略斜視図であり、（ｂ）は、反対側のドア面１ｂから視た概略斜視図である。ドア１Ａは、ドア面１ａ側及びドア面１ｂ側のいずれにも開くことができるドアである。図１４は、ドア１Ａが閉位置にある状態を示している。
【００５７】
ドア操作装置１０は、ドア１Ａの一部に組み込まれている。ドア操作装置１０は、ドア１の戸先側に埋設された略直方体のケース４を有する。第４の実施形態は、第１の実施形態と類似しているが、ラッチボルト２Ａの形状が異なる。ラッチボルト２Ａは、いずれの方向にも開くドアに対応した周知の形状を有する（例えば特許文献４、５を参照）。ドア１Ａの閉位置においては、ラッチボルト２Ａがケース４の戸先側の側面から突出し、対向するラッチ受け穴（図示せず）に入り込んでいる。これにより、ドア１Ａは、いずれの方向へも開く動作を阻止される。
【００５８】
ドア操作装置１０は、ケース４の戸尻側の側面に隣接する開口部１ｃを有する。図１４における開口部１ｃは、一例として、図１に示した第１の実施形態における開口部１ｃと同じ位置、形状及び大きさを有する。さらに、開口部１ｃにほぼ嵌合する矩形の輪郭形状を有する操作板１１が配置されている。図１４の例では、操作板１１の厚さは、ドア１Ａの厚さとほぼ同じであり、開口部１ｃのほぼ全体を占めている。しかしながら、操作板１１の厚さは、ドア１Ａの厚さより薄くてもよい。操作板１１の戸尻側の端縁に沿って回動軸１３が設けられている。回動軸１３は、鉛直方向に延在している。回動軸１３は、具体的には、例えば複数の蝶番などにより構成される。
【００５９】
第４の実施形態では、使用者がドア面１ａ又はドア面１ｂのいずれかの側から操作板１１を押して回動させる操作を行うことによって、ラッチボルト２Ａが解除され、ドア１Ａを開くことが可能となる。ケース４には、操作板１１の回動をラッチボルト２Ａの後退動作に変換する変換部が設けられている。操作板１１は大きな操作面を有するので、使用者は、手指以外の身体部位を用いて操作板１１を容易に操作することができる。
【００６０】
図１５を参照して、変換部の機構の一例を説明する。図１５（ａ）は、図１４（ｂ）のVIII−VIII断面の一例を概略的に示し、（ｂ）（ｃ）はラッチ解除状態の（ａ）に対応する断面図である。なお、図１５に示した機構は、上述した図３及び図４の機構と類似しているので、これらの図も参照されたい。
【００６１】
図１５（ａ）に示すラッチ位置では、ラッチボルト２Ａがバネ５により付勢されてケース４の戸先側の側面から突出している。ラッチボルト２Ａの背面に一体に固定された操作ロッド６が、コイル状のバネ５を貫通してケース４の戸尻側の側面に向かって水平に延在している。操作ロッド６はケース４内の隔壁４ａを貫通し、その端部には第１の連結ピン１５ａが設けられている。バネ５の一端はラッチボルト２Ａの背面により支持され、他端は隔壁４ａにより支持されている。
【００６２】
一方、操作板１１の戸先側の側面には、第１の連結ピン１５ａと同じ高さ位置に操作ピン１４が突出するように設けられている。操作ピン１４には、第２の連結ピン１５ｂが設けられている。操作ピン１４は、ケース４の戸尻側の側面に水平方向に設けられた溝４ｅ内に位置する。
【００６３】
第１の連結ピン１５ａと第２の連結ピン１５ｂとの間の適宜の位置において、ケース４に固定され鉛直方向に延在する複数の案内ピン１５ｃが配置されている。さらに、２本のワイヤー１６１、１６２が適宜の弛みをもって設けられ、いずれのワイヤーも一端が第１の連結ピン１５ａに、他端が第２の連結ピン１５ｂに連結されている。但し、ワイヤー１６１とワイヤー１６２は、複数の案内ピン１５ｃによって互いに異なる経路が規定されている。
【００６４】
図１５（ａ）に示すように、ラッチ位置では、操作板１１はドア面１ａ、１ｂと平行に位置し、操作ピン１４はドアの厚さ方向の中央に位置している。
【００６５】
図１５（ｂ）は、矢印ｒ１のようにドア面１ａの側から、図１５（ｃ）は、矢印ｒ２のようにドア面１ｂの側から操作板１１を押したときの状態を示している。この押し操作によって、操作板１１は回動軸１３の周りでいずれかの方向に回動する。操作板１１の回動範囲は、ケース４の溝４ｅ内における操作ピン１４の回動可能な範囲によって規定される。操作ピン１４が図１５（ｂ）に示すように回動すると、ワイヤー１６１が案内ピン１５ｃに係合することによって弛みがなくなる。また、操作ピン１４が図１５（ｃ）に示すように回動すると、ワイヤー１６２が案内ピン１５ｃに係合することによって弛みがなくなる。このようにして、ワイヤー１６１又はワイヤー１６２が操作ロッド６を戸尻側に引っ張ることによって、ラッチボルト２Ａがバネ５に抗して後退する。
【００６６】
第４の実施形態は、回動軸１３が鉛直軸であるが、上述した第２の実施形態のように、回動軸１３が水平軸であるように構成することも可能である。
【００６７】
（５）第５の実施形態：いずれの方向にも開くドア、回動操作
図１６及び図１７を参照して、本発明の第５の実施形態について説明する。図１６（ａ）は、第５の実施形態のドア操作装置１０を組み込んだドア１Ａをドア面１ａから視た概略斜視図であり、（ｂ）は、反対側のドア面１ｂから視た概略斜視図である。ドア１Ａは、ドア面１ａ側及びドア面１ｂ側のいずれにも開くことができるドアである。図１６は、ドア１Ａが閉位置にある状態を示している。
【００６８】
第５の実施形態は、上述した第４の実施形態と類似しているので、共通する点については説明を省略する場合がある。第５の実施形態では、操作板１１の一方の面を始端として操作板１１に対し略垂直に延在する補助操作板１２１と、操作板１１の他方の面を始端として操作板１１に対し略垂直に延在する補助操作板１２２とを有する点である。一例として、補助操作板１２１、１２２は、図１の第１の実施形態で示した補助操作板１２と同様の形状を有する。
【００６９】
図１６の例では、操作板１１の厚さは、ドア１Ａの厚さとほぼ同じであり、開口部１ｃのほぼ全体を占めている。しかしながら、操作板１１の厚さは、ドア１Ａの厚さより薄くてもよい。操作板１１の戸尻側の端縁に沿って回動軸１３が設けられている。回動軸１３は、鉛直方向に延在している。回動軸１３は、具体的には、例えば複数の蝶番などにより構成される。
【００７０】
第５の実施形態では、使用者がドア面１ａ又はドア面１ｂのいずれかの側から操作板１１又は補助操作板１２１、１２２を押して回動させる操作を行うことによって、ラッチボルト２Ａが解除され、ドア１Ａを開くことが可能となる。ケース４には、操作板１１の回動をラッチボルト２Ａの後退動作に変換する変換部が設けられている。操作板１１及び補助操作板１２１、１２２は大きな操作面を有するので、使用者は、手指以外の身体部位を用いて操作板１１及び補助操作板１２１、１２２を容易に操作することができる。
【００７１】
図１７（ａ）は、図１６（ｂ）のIX−IX断面の一例を概略的に示し、（ｂ）（ｃ）はラッチ解除状態の（ａ）に対応する断面図である。なお、図１７に示した変換部は、上述した図１５で示した第４の実施形態の変換部と同じであるので、詳細な説明を省略する。
【００７２】
図１７（ａ）に示すように、ラッチ位置では、操作板１１はドア面１ａ、１ｂと平行に位置し、操作ピン１４はドアの厚さ方向の中央に位置している。図示のように、補助操作板１２１、１２２の端縁に沿って戸先側に突出する丸みのあるリブ１２１ａ、１２２ａを形成することが好ましい。使用者がリブ１２１ａ、１２２ａに肘や足などを掛けることによって、補助操作板１２１、１２２に対する操作が容易となる。リブ１２１ａ、１２２ａは、他の実施形態の操作板１１又は補助操作板１２にも適用可能である。
【００７３】
図１７（ｂ）では、矢印ｒ１のようにドア面１ａの側から操作板１１を押すか、又は、矢印ｒ２のようにドア面１ｂの側から補助操作板１２２を押すことによって、操作板１１を回動させている。図１７（ｃ）では、矢印ｒ１のようにドア面１ｂの側から操作板１１を押すか、又は、矢印ｒ２のようにドア１ａの側から補助操作板１２１を押すことによって、操作板１１を回動させている。
【００７４】
第５の実施形態は、回動軸１３が鉛直軸であるが、上述した第２の実施形態のように回動軸１３が水平軸であるように構成することも可能である。
【００７５】
（６）第６の実施形態：ロック機構
図１８を参照して、本発明の第６の実施形態について説明する。第６の実施形態は、第５の実施形態に適用されるロック機構に関する。ここでのロック機構は、使用者が操作を行うか否かに関わらず、ドアを閉位置に保持するためのものである。
【００７６】
図１８（ａ）は、上述した図１１（ａ）に示した第３の実施形態のロック機構を、上述した第５の実施形態のドア操作装置１０に適用した例を概略的に示している。ここでは、操作板１１の一部の厚さをドア１Ａの厚さよりも薄くすることにより確保された空間に、ロック部材３１及び軸受部材３２、３３を設けている。ロック部材３１と補助操作板１２２は一体的に、戸先側に向かって水平にスライド移動可能に設けられている。このために、ロック部材３１を支持する軸受部材３２、３３が操作板１１の広い面に取り付けられている。
【００７７】
図１８（ｂ）は、（ａ）のＸ−Ｘ断面のロック解除状態を概略的に示している。この断面は、一例として、ケース４よりも上方を横切る断面である。ドアは閉位置にある。ドア面１ａとドア面１ｂとの間のドア本体には、ロック部材３１の先端と対向する位置にロック凹部１ｄが形成されている。ロック凹部１ｄは、ロック部材３１の先端部が嵌合する形状を有する。ロック解除状態では、ロック部材３１が、操作板１１の戸先側の側面から突出していない。
【００７８】
図１８（ｃ）は、ロック状態を示す。（ｂ）の位置から開始して矢印のように補助操作板１２２を戸先側に所定の距離Ｌだけスライド移動させた状態を示している。このスライド移動は、使用者が補助操作板１２２を操作することによって行うことができる。これにより、ロック部材３１の先端が、操作板１１の側面を超えて突出し、ロック凹部１ｄに入り込む。その結果、操作板１１の回動が阻止されるので、ラッチボルトを解除することができない。このロック状態を解除するためには、補助操作板１２２を反対方向にスライドさせて戻す操作を行う。
【００７９】
なお、図１８に示した例では、ロック凹部１ｄがケース４の外部に設けられているが、別の例としてロック凹部をケース４内に設けることもできる。ロック凹部をケース４内に設ける場合、ロック凹部を、ラッチボルト及び変換部と干渉しない高さ位置に設けるようにする。
【００８０】
図示しないが、第６の実施形態の別の例として、図１１（ｂ）及び図１３に示したデッドボルト３のロック機構を適用することもできる。
【００８１】
（７）第７の実施形態：一方にのみ開くドア、直線移動操作
図１９及び図２０を参照して、本発明の第７の実施形態を説明する。図１９（ａ）は、第７の実施形態のドア操作装置１０を組み込んだドア１をドア面１ａから視た概略斜視図であり、（ｂ）は、反対側のドア面１ｂから視た概略斜視図である。ドア１は、ドアである。図１９は、ドア１が閉位置にある状態を示している。
【００８２】
図１９には、説明の便宜上、設置高さが異なる２つの例を同時に示している。実線で示すドア操作装置１０はドア１の高さの半分より上方寄りに、破線で示すドア操作装置１０’は、ドア１の下端近傍に組み込まれている。これらは同じ構成を有するので、ドア操作装置１０について説明する。
【００８３】
ドア操作装置１０は、ドア１の戸先側に埋設された略直方体のケース４を有する。ケース４は、上述した各実施形態と同様のものであり、ここではラッチボルト２を収容している。ドア操作装置１０はさらに、ケース４の戸尻側の側面に隣接する開口部１ｃを有する。開口部１ｃは、ドア１の厚さ方向全体に亘って存在し、ドア１の一部を貫通している。図１の例では、開口部１ｃは円形の輪郭形状を有する。一例として、開口部１ｃの直径はドア１の幅の２分の１よりも小さく、例えば約２０〜３０ｃｍである。開口部１ｃの輪郭形状は円形に限られず、例えば矩形又は多角形でもよい。
【００８４】
さらに、開口部１ｃ内には、開口部１ｃにほぼ嵌合する輪郭形状を有する操作板１１が配置されている。操作板１１の平坦な両面は、ドア面１ａ、１ｂに平行である。操作板１１は、ドア１よりも薄い所定の厚さを有する。操作板１１の一方の広い面は、ドア面１ａと同一面上に位置することが好ましい。操作板１１の他方の広い面は、ドア面１ｂよりも開口部１ｃ内に後退した位置にある。さらに操作板１１におけるドア１が開く方に向いた面、この場合はドア面１ｂ側の面を始点としてこの面に垂直な方向に延在する連結部材２５が取り付けられている。一例として、棒状の連結部材２５が、操作板１１の中心に取り付けられている。
【００８５】
連結部材２５は、ドア面１ｂよりもさらに所定の距離だけ突出し、その先端には、補助操作板１２が取り付けられている。一例として、補助操作板１２は、操作板１１と同じ大きさの円形板であり、その中心に連結部材２５の先端が連結されている。補助操作板１２の輪郭形状は円形に限られず、その大きさも適宜設定される。補助操作板１２は、操作板１１と略平行となるように取り付けられている。しかしながら、補助操作板１２は、操作板１１に対して厳密に平行でなくともよく、平行位置に対して例えば−１０°〜＋１０°程度傾斜していてもよい。このように、操作板１１、連結部材２５、及び補助操作板１２は、一体の部材を構成している。
【００８６】
操作板１１及び補助操作板１２は、ドア面１ａ、１ｂに対し垂直な方向に直線移動可能に設置されている。操作板１１及び補助操作板１２を直線移動させるために、使用者は、ドア面１ａ側から操作板１１を押すことができる。また、使用者は、ドア面１ｂ側から補助操作板１２を引くことができる。操作板１１及び補助操作板１２は、一般的なドア取っ手に比べて大きな操作面を有するので、使用者は、手指以外の身体部位、例えば肘、腕、脚、膝、足、腰などを用いて操作板１１又は補助操作板１２を容易に操作することができる。
【００８７】
詳細は後述するが、ケース４には、操作板１１及び補助操作板１２の直線移動をラッチボルト２の後退動作に変換する変換部が設けられている。したがって、操作板１１又は補助操作板１２を使用者が操作することによって、ラッチボルト２が解除される。その結果、使用者は、ドア１を開くことができる。すなわち、使用者は、手指を用いる必要なくドア１を開くことができる。
【００８８】
図２０を参照して、変換部の機構の一例を説明する。図２０（ａ）は、図１９（ｂ）のXI−XI断面の一例を概略的に示し、（ｂ）はドア操作装置１０を操作してラッチボルト２を解除したときの（ａ）に対応する断面を概略的に示している。
【００８９】
図２０（ａ）に示すラッチ位置では、ラッチボルト２がバネ５により付勢されてケース４の戸先側の側面から突出している。ラッチボルト２の背面に一体に固定された操作ロッド６が、コイル状のバネ５を貫通してケース４の戸尻側の側面に向かって水平に延在している。操作ロッド６は、ケース４内の隔壁４ａを貫通している。バネ５の一端はラッチボルト２の背面により支持され、他端は隔壁４ａにより支持されている。操作ロッド６には、その先端から所定の範囲の側面にラック１７が形成されている。さらに、ケース４内には、ラック１７と歯合可能な位置にピニオン１８が配置されている。ピニオン１８は鉛直軸を有する。
【００９０】
一方、円形の操作板１１の最も戸先側に近い周縁から突出する操作ピン１４が設けられている。操作ピン１４は、ケース４の戸尻側の側面に水平方向に設けられた溝２７内に位置し、溝２７に沿って移動可能である。操作ピン１４には、その先端から操作板１１の移動方向に沿って延在するラック１９が形成されている。ラック１９は、ラック１７とは異なる高さ位置でピニオン１８と歯合可能に配置されている（類似の構成を示す図５（ｂ）も参照されたい）。
【００９１】
さらに、図２０（ａ）の断面において、操作板１１の直径に関して操作ピン１４とは反対側の周縁から突出する支持ピン２６が設けられている。支持ピン２６は、開口部１ｃに隣接するドア本体に水平方向に設けられた溝２８内に位置し、溝２８に沿って移動可能である。操作板１１は、操作ピン１４と支持ピン１６によって、開口部１ｃ内で直線移動可能に支持されている。図２０（ａ）に示すように、ラッチ位置では、操作板１１はドア面１ａと同一面上に位置し、操作ピン１４はドア面１ａに最も近い位置にある。
【００９２】
図２０（ｂ）に示すラッチボルト２の解除位置では、ラッチボルト２がバネ５に抗してケース４内に後退させられている。このラッチボルト２の解除位置は、矢印ｍ１で示す操作板１１に対する押し操作、又は、矢印ｍ２で示す補助操作板１２に対する引き操作により実現される。この操作によって、操作板１１がドア面１ａからドア面１ｂの方に直線移動する。操作板１１は、ドア面１ａ、１ｂと平行な関係を保持したまま直線移動する。操作板１１の移動範囲は、操作ピン１４と支持ピン２６の溝２７、２８内での移動可能な範囲によって規定される。操作ピン１４が移動すると、ラック１９がピニオン１８と歯合してピニオン１８を回動させる。それによって、ピニオン１８と歯合する操作ロッド６のラック１７が戸尻側に直線移動する。この結果、ラッチボルト２がバネ５に抗して後退する（類似の構成を示す図６（ｂ）も参照されたい）。
【００９３】
（８）第８の実施形態：いずれの方向にも開くドア、直線移動操作
図２１及び図２２を参照して、本発明の第８の実施形態について説明する。図２１（ａ）は、第８の実施形態のドア操作装置１０を組み込んだドア１Ａをドア面１ａから視た概略斜視図であり、（ｂ）は、反対側のドア面１ｂから視た概略斜視図である。ドア１Ａは、ドア面１ａ側及びドア面１ｂ側のいずれにも開くことができるドアである。図２１は、ドア１Ａが閉位置にある状態を示している。
【００９４】
ドア操作装置１０は、ドア１Ａの一部に組み込まれている。ドア操作装置１０は、ドア１の戸先側に埋設された略直方体のケース４を有する。第８の実施形態では、上述した第４の実施形態と同様に、ラッチボルト２Ａがケース４に収容されている。
【００９５】
ドア操作装置１０は、ケース４の戸尻側の側面に隣接しドア１Ａを貫通する開口部１ｃを有する。図２１における開口部１ｃは、矩形の輪郭形状を有する。ドア面１ａ上の開口部１ｃの周縁から枠４０が突出する一方、ドア面１ｂ上の開口部１ｃの周縁から枠４１が突出している。これらの枠４０、４１に囲まれた空間は、開口部１ｃと連続する空間である。したがって、これらの枠４０、４１の突出長さの分だけ開口部１ｃが拡張されている。さらに、開口部１ｃには、開口部１ｃにほぼ嵌合する輪郭形状を有する操作板１１が配置されている。図２１では、操作板１１の厚さは、ドア１Ａの厚さよりも薄く、好ましくはドア１Ａの厚さの半分以下である。それによって、操作板１１は、拡張された開口部１ｃ内でドア面１ａ、１ｂに対し垂直な方向に直線移動可能である。
【００９６】
第８の実施形態では、使用者がドア面１ａ又はドア面１ｂのいずれかの側から操作板１１を押して直線移動させる操作を行うことによって、ラッチボルト２Ａが解除され、ドア１Ａを開くことが可能となる。ケース４には、操作板１１の移動をラッチボルト２Ａの後退動作に変換する変換部が設けられている。操作板１１は大きな操作面を有するので、使用者は、手指以外の身体部位を用いて操作板１１を容易に操作することができる。
【００９７】
図２２を参照して、変換部の機構の一例を説明する。図２２（ａ）は、図２１（ｂ）のXII−XII断面の一例を概略的に示し、（ｂ）（ｃ）はラッチ解除状態の（ａ）に対応する断面図である。
【００９８】
図２２（ａ）に示すラッチ位置では、ラッチボルト２Ａがバネ５により付勢されてケース４の戸先側の側面から突出している。ラッチボルト２Ａの背面に一体に固定された操作ロッド６が、コイル状のバネ５を貫通してケース４の戸尻側の側面に向かって水平に延在している。操作ロッド６はケース４内の隔壁４ａを貫通し、その端部には第１の連結ピン１５ａが設けられている。バネ５の一端はラッチボルト２Ａの背面により支持され、他端は隔壁４ａにより支持されている。
【００９９】
操作板１１がドア面１ａ、１ｂに垂直な方向に円滑に移動できるように、例えば、開口部１ｃ（ここでは枠４０、４１の内部も含む）の底面（好ましくは天井面にも）に一対の溝２９、３０が設けられている。図示しないが、操作板１１の下面には（好ましくは上面にも）溝２９、３０に嵌合する一対の突起が形成されている。別の例として、溝２９、３０に替えて一対の突条を設け、操作板１１の下面に嵌合する一対の溝を形成してもよい。なお、操作板１１を円滑に直線移動させる機構は、これに限られない。
【０１００】
操作板１１の戸先側の側面には、第１の連結ピン１５ａと同じ高さ位置に操作ピン１４が突出するように設けられている。操作ピン１４には、第２の連結ピン１５ｂが設けられている。
【０１０１】
第１の連結ピン１５ａと第２の連結ピン１５ｂとの間の適宜の位置において、ケース４に固定され鉛直方向に延在する複数の案内ピン１５ｃが配置されている。さらに、２本のワイヤー１６１、１６２が適宜の弛みをもって設けられ、いずれのワイヤーも一端が第１の連結ピン１５ａに、他端が第２の連結ピン１５ｂに連結されている。但し、ワイヤー１６１とワイヤー１６２は、複数の案内ピン１５ｃによって互いに異なる経路が規定されている。
【０１０２】
図２２（ａ）に示すように、ラッチボルト２Ａが突出しているとき、操作板１１及び操作ピン１４は、ドア面１ａ、１ｂに垂直な方向において開口部１ｃの中央に位置している。
【０１０３】
図２２（ｂ）は、矢印ｍ１で示すようにドア面１ａの側から、図２２（ｃ）は、矢印ｍ２で示すようにドア面１ｂの側から、それぞれ操作板１１を押したときの状態を示している。この押し操作によって、操作板１１はドア面１ａ、１ｂに垂直ないずれかの方向に直線移動する。操作板１１の移動範囲は、枠４０、４１の突出長さで規定される。このために、例えば、枠４０、４１の端縁に形成された返し部分４０ａ、４１ａが、操作板１１のストッパの役割を果たしている。
【０１０４】
操作ピン１４が図２２（ｂ）に示すように移動すると、ワイヤー１６１が案内ピン１５ｃに係合することによって弛みがなくなる。また、操作ピン１４が図２２（ｃ）に示すように回動すると、ワイヤー１６２が案内ピン１５ｃに係合することによって弛みがなくなる。このようにして、ワイヤー１６１又はワイヤー１６２が操作ロッド６を戸尻側に引っ張ることによって、ラッチボルト２Ａがバネ５に抗して後退する。
【０１０５】
（９）第９の実施形態：ロック機構
図２３を参照して、本発明の第９の実施形態について説明する。第９の実施形態は、第８の実施形態に適用されるロック機構に関する。ここでのロック機構は、使用者が操作板１１を操作するか否かに関わらず、ドアを閉位置に保持するためのものである。
【０１０６】
図２３（ａ）は、図２１（ｂ）のXIII−XIII−断面の一例を概略的に示している。この断面は、ケース４内においてラッチボルト２Ａの上方に設けられたデッドボルト３の近傍の断面である。図２３（ａ）は、ロック解除状態を示している。
【０１０７】
第９の実施形態では、第８の実施形態における開口部１ｃの周縁の枠４０、４１のうち、一方の枠４１がドア面１ｂに対して戸先側に向かって所定の距離Ｌだけスライド可能である。図示しないが、これは、枠４１とドア面１ｂとの間に、例えばレールと溝を組み合わせた機構を設けることにより実現できる。枠４１の戸先側には、枠４１の一部とデッドボルト３とを連結する伝達部材４２が設けられている。伝達部材４２は、ドア面１ｂ及びケース４の側壁に穿設された孔からケース４内に延在し、デッドボルト３の背面に連結されている。
【０１０８】
図２３（ｂ）は、ロック状態を示す。これは、（ａ）の位置から開始して枠４１を戸先側に所定の距離Ｌだけスライド移動させた状態である。このスライド移動は、矢印ｓのように使用者が枠４１を操作することによって行うことができる。これにより、伝達部材４２が、デッドボルト３をケース４から押し出す。その結果、使用者が操作板１１を操作してラッチ解除しても、ドアを開くことはできない。このロック状態を解除するためには、枠４１を反対方向にスライドさせて戻す操作を行う。
【０１０９】
（１０）第１０の実施形態：いずれの方向にも開くドア、直線移動操作
第１０の実施形態は、図２１及び図２２に示した第８の実施形態の変形形態である。図２４は、上述した図２２（ａ）に対応する第１０の実施形態における断面図である。
【０１１０】
第１０の実施形態では、開口部１ｃが一方のドア面１ｂの方にのみ拡張されている。ドア面１ａ上の開口部１ｃの周縁に設けられる枠４０は、ドア面１ａから突出しない平坦な枠である。一方、ドア面１ｂ上の開口部１ｃの周縁に設けられる枠４１は、ドア面１ｂから突出している。枠４１のドア面１ｂからの突出長さは、操作板１１に必要な直線移動距離に応じて設定される。
【０１１１】
変換部の機構は、基本的に図２２に示した第８の実施形態と同じである。ただし、ワイヤ１６１と１６２は、互いに異なる長さを有する。第１０の実施形態では、ドア面１ａから突出する枠がなく平坦であるので、例えばドア面１ａの側が通路である場合などに適している。
【０１１２】
（１１）その他の実施形態
上述した各実施形態において、使用者による操作を容易とするように、開口部１ｃが十分に大きいことが好ましい。例えば、矩形の開口部１ｃの鉛直方向の長さが、ドア高さの０．３〜０．８倍の間であることが好ましい。また例えば、矩形の開口部１ｃの水平方向の長さ又は円形の開口部１ｃの直径が、ドア幅の０．２〜０．６倍の間であることが好ましい。また、使用者が足で操作する場合、開口部１ｃが、ドア高さの下から４分の１の高さより低い位置にあることが好ましい。
【０１１３】
いくつかの実施形態では、操作板１１に対してほぼ垂直に補助操作板１２が配置されている。したがって、通常の操作時に補助操作板１２を押す力を大きく上回る負荷がかかった場合、補助操作板１２の取付部が破損する可能性がある。これを防ぐために、過負荷がかかったときに補助操作板１２が操作板１１の方に傾斜して倒れることができ、そして過負荷が除去されたときには補助操作板１２が再び起立して元の姿勢に復帰できる構造を、操作板１１と補助操作板１２の接続部に設けることが好ましい。このような過負荷防止機構は周知である。
【０１１４】
各実施形態において、開口部１ｃ及び操作板１１が、ドア面に平行な面内で矩形の輪郭を有する場合、その輪郭の隅部に面取り又は丸みを有していてもよい。
【０１１５】
操作板１１がドア面から突出しない実施形態に関しては、通路側に面したドア面に操作板１１が配置されることが好ましい。これによって、ドアの通路側に突出部がなく、見栄えがよいと同時に衝突する危険がない。
【０１１６】
各実施形態の操作板１１及び補助操作板１２が比較的広い面をもつ平板状であるので、清掃やアルコール消毒などを行い易い。
【０１１７】
各実施形態の操作板１１及び補助操作板１２は、手指で操作することももちろん可能である。しかしながら、使用者は、手指以外を用いた操作を選択可能である。
【０１１８】
以上、本発明の幾つかの実施形態を示す図面を参照して本発明を説明したが、各実施形態の特徴的構成を組み合わせた実施形態も本発明に含まれる。また、本発明の主旨に沿う限りにおいてさらに多様な変形形態が可能である。
【符号の説明】
【０１１９】
１、１Ａ  ドア
１ａ、１ｂ  ドア面
１ｃ  開口部
２  ラッチボルト（一方にのみ開くドア用）
２Ａ  ラッチボルト（いずれの方向にも開く用）
３  デッドボルト
４  ケース
４ａ、４ｂ、４ｃ  隔壁
４ｅ  溝
５  バネ
６  操作ロッド
７  バネ
８  操作ロッド
８ａ  カラー部
１０  ドア操作装置
１１  操作板
１２、１２１、１２２  補助操作板
１３  回動軸
１４  操作ピン
１５ａ、１５ｂ  連結ピン
１５ｃ  案内ピン
１６  ワイヤー
１７  ラック
１８  ピニオン
１９  ラック
２５  連結部材
２７、２８  溝
２９、３０  溝
３１  ロック部材
３２、３３  軸受部材
４０、４１  枠
４１ａ  返し部分
【要約】
【課題】ラッチ解除操作に関する設計の自由度が大きいドア操作装置及びその装置を組み込んだドアを提供する。
【解決手段】ドア1,1Aの戸先側に埋設された略直方体のケース4と、ケース4内に設けられたラッチボルト2,2Aと、ケース4からラッチボルト2,2Aを突出させるように付勢するバネ5とを有し、ドア1,1Aを開くためにラッチボルト2,2Aをバネ5に抗して後退させるように構成されたドア操作装置10において、ケース4の戸尻側の側面に隣接しかつドア1,1Aの一部を厚さ方向に貫通する開口部1cと、使用者による操作によって、回動軸13の周りで回動可能又はドア面1a,1bに対し垂直な方向に直線移動可能であるように、開口部1c内に配置された操作板11と、操作板11の回動又は直線移動を、ラッチボルト2,2Aの後退動作に変換する変換部と、を有することを特徴とする。
【選択図】図１【図１】
0006840284.tif 000002
【図２】
0006840284.tif 000003
【図３】
0006840284.tif 000004
【図４】
0006840284.tif 000005
【図５】
0006840284.tif 000006
【図６】
0006840284.tif 000007
【図７】
0006840284.tif 000008
【図８】
0006840284.tif 000009
【図９】
0006840284.tif 000010
【図１０】
0006840284.tif 000011
【図１１】
0006840284.tif 000012
【図１２】
0006840284.tif 000013
【図１３】
0006840284.tif 000014
【図１４】
0006840284.tif 000015
【図１５】
0006840284.tif 000016
【図１６】
0006840284.tif 000017
【図１７】
0006840284.tif 000018
【図１８】
0006840284.tif 000019
【図１９】
0006840284.tif 000020
【図２０】
0006840284.tif 000021
【図２１】
0006840284.tif 000022
【図２２】
0006840284.tif 000023
【図２３】
0006840284.tif 000024
【図２４】
0006840284.tif 000025